(57)【要約】【課題】  所謂、マイナスイオン効果に優れた特長を発揮する寝具類を提供することである。【解決手段】    表面被覆材と、前記表面被覆材の中に設けられた内材とを有する寝具類であって、  前記表面被覆材は少なくとも導電性繊維を具備し、  前記内材は少なくともマイナスイオン発生材を具備する。【選択図】    図１
2006042959.tif 000002
【特許請求の範囲】
【請求項１】
表面被覆材と、前記表面被覆材の内側に設けられた内材とを有する寝具類であって、
前記表面被覆材は少なくとも導電性繊維を具備し、
前記内材は少なくともマイナスイオン発生材を具備する
ことを特徴とする寝具類。
【請求項２】
内材は凹凸弾性体を更に具備することを特徴とする請求項１の寝具類。
【請求項３】
導電性繊維とマイナスイオン発生材との間に、羊毛材、ナイロン材、及びレーヨン材の群の中から選ばれる一種又は二種以上の材を有することを特徴とする請求項１の寝具類。
【発明の詳細な説明】
【技術分野】
【０００１】
本発明は、例えば敷布団、掛け布団、座布団、クッション、マット、枕などの寝具類に関する。
【背景技術】
【０００２】
健康状態にあっては、例えば赤血球は、マイナス電荷を帯びていることから、反撥し合い、血液は、所謂、サラサラ状態である。これに対して、疲労が溜まったり、ストレスが溜まった状態では、血液にはプラスイオンが増加し、赤血球のマイナス電荷が中和され、赤血球同士の反撥が弱まり、凝集し易く、血液は、所謂、ドロドロ状態になる。そして、ドロドロ状態のものになると、血行は悪化し、頭痛、肩こりが起き、又、身体機能の低下が起きる。
【０００３】
ところで、空気が乾燥する季節においては、人体はプラスの電荷を帯び易いと謂われている。特に、上記した血液がドロドロ状態にあっては、プラスの静電気を帯び易く、場合によっては１万Ｖを越える電荷を帯びることさえある。そして、人体が静電気を帯びるようになると、塵・埃を帯び易くなり、肌荒れやアレルギーを引き起こしたりする。又、頭痛やイライラを感じ易くなるとも謂われている。
【０００４】
このようなことから、出来るだけプラスの電荷を帯びないようにすること、即ち、マイナス電荷（イオン）を供給することが提案されている。
因みに、マイナスイオンを風と共に放出するルームエアコンとかドライヤー等の家電商品が市販されている。
【０００５】
又、人体に帯電している静電気を中和して、帯電を下げる為のマットであって、単繊維繊度が０．５〜３デニール、長さが１〜１２ｍｍの炭素繊維５〜５０重量％を織物、編物、不織布などの布帛の表面にバインダーと混合してコーティングした静電気中和芯材を内層に配置させると共に、その両面または片面に中綿を配し、更に外層に表地を重ねてそれらをキルティングしたことを特徴とする人体帯電中和マットが提案（特開２０００−３００３９６）されている。
【０００６】
又、人体に帯電している静電気を中和して帯電を下げる為の各種製品であって、単繊維繊度０．５〜３デニール、長さが１〜１２ｍｍの炭素繊維又は合成繊維の表面に金属メッキを施した繊維５〜５０重量を％を織物、編物、不織布などの表にバインダーと混合してコーティングした静電気中和芯材を内層に配置させるか、又は混綿してフェルトにしてその両面または片面に中綿を配し、更に外層に表地を重ねてそれらをキルティングしたことを特徴とする人体帯電中和各種用具が提案（特開２００２−１７５８９７）されている。
【特許文献１】特開２０００−３００３９６
【特許文献２】特開２００２−１７５８９７
【発明の開示】
【発明が解決しようとする課題】
【０００７】
本願発明者は、上記技術を用いて布団を製作し、使用したのであるが、そのマイナスイオン効果は未だのものであった。
【０００８】
従って、本発明が解決しようとする課題は、所謂、マイナスイオン効果に優れた特長を発揮する寝具類を提供することである。
【課題を解決するための手段】
【０００９】
前記の課題は、表面被覆材と、前記表面被覆材の内側に設けられた内材とを有する寝具類であって、
前記表面被覆材は少なくとも導電性繊維を具備し、
前記内材は少なくともマイナスイオン発生材を具備する
ことを特徴とする寝具類によって解決される。
【００１０】
特に、表面被覆材と、前記表面被覆材の内側に設けられた内材とを有する寝具類であって、
前記表面被覆材は少なくとも導電性繊維を具備し、
前記内材は少なくともマイナスイオン発生材と凹凸弾性体とを具備する
ことを特徴とする寝具類によって解決される。
【００１１】
中でも、表面被覆材と、前記表面被覆材の内側に設けられた内材とを有する寝具類であって、
前記表面被覆材は少なくとも導電性繊維を具備し、
前記内材は少なくともマイナスイオン発生材と、該マイナスイオン発生材の下側に位置した凹凸弾性体とを具備する
ことを特徴とする寝具類によって解決される。
【００１２】
又、表面被覆材と、前記表面被覆材の内側に設けられた内材とを有する寝具類であって、
前記表面被覆材は少なくとも導電性繊維を具備し、
前記内材は少なくともマイナスイオン発生材を具備し、
かつ、前記導電性繊維と前記マイナスイオン発生材との間に、羊毛材、ナイロン材、及びレーヨン材の群の中から選ばれる一種又は二種以上の材を有することを特徴とする寝具類によって解決される。
【００１３】
特に、表面被覆材と、前記表面被覆材の内側に設けられた内材とを有する寝具類であって、
前記表面被覆材は少なくとも導電性繊維を具備し、
前記内材は少なくともマイナスイオン発生材と凹凸弾性体とを具備し、
かつ、前記導電性繊維と前記マイナスイオン発生材との間に、羊毛材、ナイロン材、及びレーヨン材の群の中から選ばれる一種又は二種以上の材を有することを特徴とする寝具類によって解決される。
【００１４】
中でも、表面被覆材と、前記表面被覆材の内側に設けられた内材とを有する寝具類であって、
前記表面被覆材は少なくとも導電性繊維を具備し、
前記内材は少なくともマイナスイオン発生材と、該マイナスイオン発生材の下側に位置した凹凸弾性体とを具備し、
かつ、前記導電性繊維と前記マイナスイオン発生材との間に、羊毛材、ナイロン材、及びレーヨン材の群の中から選ばれる一種又は二種以上の材を有することを特徴とする寝具類によって解決される。
【発明の効果】
【００１５】
本発明は、単に、マイナスイオン発生材を具備すると言うだけで無く、マイナスイオン発生材を内部に持たせたので、所謂、マイナスイオン効果が良好に発揮される。例えば、マイナスイオン発生材を外側に設けていても、本願発明が奏するようなマイナスイオン効果は得られない。
【００１６】
しかも、マイナスイオン発生材を内在させるだけで無く、外側に導電性繊維を持たせたから、所謂、マイナスイオン効果が良好に発揮される。例えば、マイナスイオン発生材を内部に持たせたのみの場合や、導電性繊維を持たせた場合に過ぎない場合には、本願発明が奏するようなマイナスイオン効果は得られない。
【００１７】
又、導電性繊維とマイナスイオン発生材との間に、羊毛、ナイロン材、又はレーヨン材を有する場合、マイナスイオン効果が顕著に発揮されるものであった。
【発明を実施するための最良の形態】
【００１８】
図１は本発明の第１実施形態になる寝具類（敷布団）の概略図である。
【００１９】
同図中、１は敷布団の表生地である。この表生地１は、少なくともコロナ放電機能を有する導電性繊維（カーボン繊維などの導電性繊維の表面がポリエステルで被覆されたものであって、例えばカネボウ合繊社製のドーデン）を用いて構成されたものである。従って、敷布団上に寝た場合、人体は表生地１の導電性繊維に接するようになる。尚、この表生地１は、袋状のシーツで、交換可能なものであっても良い。
【００２０】
２は下地層である。３は詰め綿である。
【００２１】
４は、詰め綿３で包まれるように設けられているマイナスイオン発生シートである。尚、このマイナスイオン発生シート４は、備長炭などの炭（炭素材）やセラミック等の粉末をバインダ等を用いてシート状に成形したものである。
【００２２】
尚、敷布団の具体的内容を表−１に示す。
【００２３】
表−１
表生地    下地層    詰め綿  マイナスイオン発生シート
Ｎｏ１  導電性繊維使用  無し    ポリエステル        炭素系シート
Ｎｏ２  導電性繊維使用  無し    ポリエステル    セラミック系シート
Ｎｏ３  導電性繊維使用  Ａ        羊毛              炭素系シート
Ｎｏ４  導電性繊維使用  ナイロン  ポリエステル      炭素系シート
Ｎｏ５  導電性繊維使用  無し      羊毛              炭素系シート
Ｎｏ６  導電性繊維使用  無し    ポリエステル              無し
Ｎｏ７  導電性繊維使用  Ａ      ポリエステル              無し
Ｎｏ８  導電性繊維不使用  無し    羊毛              炭素系シート
Ｎｏ９導電性繊維不使用  導電性繊維使用  ポリエステル製  炭素系シート
Ａは、羊毛（６０％）−ナイロン（１５％）−ポリエステル（２５％）製
上記各例の敷布団について、その特長を調べたので、その結果を下記の表−２に示す。尚、特長の評価は、各々の例の敷布団を５枚ずつ用意し、各々の敷布団に１０日間に亘って使用して貰った後、該パネラーに快適に眠れたか否か、又、肩こりなどの解消に有効であったか否か、かつ、疲労回復に有効であったか否かの評価を尋ね、その評価を４段階に分けて記したものである。
【００２４】
表−２
評価            備考
Ｎｏ１              有効            本発明
Ｎｏ２              有効            本発明
Ｎｏ３          極めて有効          本発明
Ｎｏ４              有効            本発明
Ｎｏ５          極めて有効          本発明
Ｎｏ６      効果殆ど認められず      本発明外
Ｎｏ７      効果殆ど認められず      本発明外
Ｎｏ８      効果全く認められず      本発明外
Ｎｏ９      効果殆ど認められず      本発明外
これによれば、請求項１の本願発明の特許性の優位性を理解できる。かつ、請求項３の本願発明の更なる優位性を理解できる。
図２は本発明の第２実施形態になる寝具類（敷布団）の概略図である。
【００２５】
本実施形態の敷布団と前記実施形態の敷布団との相違点は、発泡ウレタン樹脂製の凹凸シート（碁盤目の交点において凸部が設けられた形状のシート）５がマイナスイオン発生シート４の下側に設けられているか否かの相違点に過ぎないので、同一部分には同一符号を付し、詳細な説明を省略する。
【００２６】
そして、第１実施形態のものにおけるＮｏ１，２，４に相当し、かつ、発泡ウレタン樹脂製の凹凸シート５が設けられたもの（Ｎｏ１１，１２，１４）について、第１実施形態の場合と同様に特長を調べたので、その結果を下記の表−３に示す。
【００２７】
表−３
評価              備考
Ｎｏ１１        極めて有効          本発明
Ｎｏ１２        極めて有効          本発明
Ｎｏ１４        極めて有効          本発明
これによれば、請求項２の本願発明の特許性の優位性を理解できる。
【図面の簡単な説明】
【００２８】
【図１】本発明になる第１実施形態の布団類の概略断面図
【図２】本発明になる第２実施形態の布団類の概略断面図
【符号の説明】
【００２９】
１        表生地
２        下地層
３        詰め綿
４        マイナスイオン発生シート
５        発泡ウレタン樹脂製凹凸シート
代  理  人  宇  高  克  己
【図１】
2006042959.tif 000003
【図２】
2006042959.tif 000004